(57)【要約】【課題】  螺子が緩み難く、取手の取付強度が大きいドアの提供。【解決手段】  縦框１ａと、縦框に取付ける取手２を備え、取手２は、縦框の見付面３との当接部４と、当接部から縦框の見込み方向に突出する被螺子止め部５を有し、縦框１ａは、見付面３に被螺子止め部挿入用の孔６を有し、孔６から縦框１ａ内に挿入した被螺子止め部５を、縦框の見込み面７から螺入する螺子８で固定していることを特徴とする。【選択図】      図１
2005307558.tif 000002
【特許請求の範囲】
【請求項１】
縦框と、縦框に取付ける取手を備え、取手は、縦框の見付面との当接部と、当接部から縦框の見込み方向に突出する被螺子止め部を有し、縦框は、見付面に被螺子止め部挿入用の孔を有し、孔から縦框内に挿入した被螺子止め部を、縦框の見込み面から螺入する螺子で固定していることを特徴とするドア。
【発明の詳細な説明】
【技術分野】
【０００１】
本発明は、取手の取付強度を高めたドアに関する。
【背景技術】
【０００２】
一般に、ドアに固定して取付けられる取手は、上下端部に設けた当接部をドアの縦框の見付面に当接し、室内外方向から螺入する螺子で当接部と縦框とを固定している（特許文献１参照。）。特許文献２に記載されているように、取手の当接部に棒状の連結部を設けてドアに挿入し、反対側から連結部に螺子を螺入して固定することもある。いずれにせよ従来のドアは、室内外方向の螺子で取手を取付けていた。
【特許文献１】特開２００３−２９４３５５号公報
【特許文献２】特開平１１−１０７５９０号公報
【発明の開示】
【発明が解決しようとする課題】
【０００３】
そのように構成してあると、取手を掴んでドアを開ける際、取手を取付けている螺子に引き抜こうとする向きで力がかかる。そのため、螺子を固く締め付けてないと、ドアを何度も開け閉めするうちに螺子が緩み、取手がぐらぐらになってしまうことがある。とりわけ、コンビニエンスストア等に設置されている冷蔵ショーケースのドアは、磁力でドア枠に吸着するようになっているため、ドアを開く時に取手の螺子に大きな引き抜き力が加わり、ドアを開ける回数も非常に多いため、螺子の緩みが頻繁に発生することとなっている。本発明はこうした実情に鑑みてなされたものであって、螺子が緩み難く、取手の取付強度が大きいドアの提供を目的とする。
【課題を解決するための手段】
【０００４】
上記の課題を達成するために本発明のドアは、縦框と、縦框に取付ける取手を備え、取手は、縦框の見付面との当接部と、当接部から縦框の見込み方向に突出する被螺子止め部を有し、縦框は、見付面に被螺子止め部挿入用の孔を有し、孔から縦框内に挿入した被螺子止め部を、縦框の見込み面から螺入する螺子で固定していることを特徴とする。
【発明の効果】
【０００５】
本発明のドアは、縦框の見込み面から螺入する螺子で取手の被螺子止め部を縦框に固定しているので、取手を掴んでドアを開く際、螺子に引き抜こうとする力がかからない。よって螺子が緩み難く、取手の取付強度を大きくできる。
【発明を実施するための最良の形態】
【０００６】
以下、本発明の実施の形態を説明する。図４は、コンビニエンスストア等に設置される飲料販売用の冷蔵ショーケースの前面扉部を示しており、本発明に係るドア９を３枚横並びで取付けてある。このドア９は、左右の縦框１ａ，１ｂと上框１０と下框１１とを方形に枠組みし、各框の内周側の溝に断熱性に優れたペアガラス１２の周縁部を保持して構成されている。一方側の縦框１ａには、アーチ型の大型の取手２を取付けてあり、他方側の縦框１ｂの上下端部をピボットヒンジ１３で支持している。
【０００７】
取手２は、図２に示すように、上下の端部に縦框見付面３への当接部４を形成してあり、当接部４から板状の被螺子止め部５を縦框の見込方向に突出して設けてある。取手２の本体部は樹脂製で、金型で一体成型されており、被螺子止め部５は金属の板を加工してなり、図３に示すように、取手２本体部を金型で成型するときに、被螺子止め部５に連続して設けた埋め込み部１４を当接部４内に埋め込んで設けてある。埋め込み部１４には、被螺子止め部５の上縁ないし下縁から突出する抜け止め部１５と、抜き孔１６を有しており、被螺子止め部５が強く引っ張られた場合でも容易に抜けないようにしてある。被螺子止め部５には、雌螺子孔１７を上下二箇所に設けてある。
【０００８】
縦框１ａ，１ｂは、図１に示すように、略コ字状の断面形状を有しており、ショーケース室内側の見付片１８に押縁１９を嵌合取付し、室外側の見付片２０と押縁１９とでペアガラス１２の周縁部を挟持している。押縁１９には磁石２１を内装したゴムパッキン２２が取付けてあり、ゴムパッキン２２がドア枠２３に磁力で吸着する。室内側の見付片１８には、結露を防止するためのヒーター（図示省略）の取付溝２４を有している。上框１０と下框１１も、これと略同様に構成してある。
【０００９】
取手２を取付ける方の縦框１ａは、図２に示すように、見付面３のドア外周側の縁に沿って取手の被螺子止め部５を挿入するための孔６を縦長のスリット状に形成してあり、見込み面７に取手を取付けるための螺子８を挿入するための孔２５を開けてある。取手２は、被螺子止め部５を縦框見付面の孔６に挿入して当接部４を見付面３に当接し、被螺子止め部５を縦框の内周面２６に当接し、見込み面７の孔２５から螺子８を被螺子止め部５に螺入して縦框１ａに固定してある。
【００１０】
以上のように構成したドアは、ドアを開ける際に取手２を掴んで引っ張っても、取手を取付けている螺子８に、直接引き抜こうとする向きで力がかからない。そのため螺子８が緩み難く、取手２の取付強度が大きい。また螺子８を縦框１ａに室内外方向で貫通させないことで、ペアガラス１２に切り欠き等を設けることなく縦框の見付寸法ｗを小さくでき、尚且つ螺子８の頭がドアの正面及び裏面側に露出しないので、意匠上の効果もある。
【００１１】
図５は、取手２の縦框１ａへの取付部の別の実施形態を示している。図５（ａ）に示したものは、縦框１ａの室内側の見付片１８の内面側に凸部２７を形成してあり、凸部２７と縦框内周面２６との間に被螺子止め部５の先端を差し込んで保持してある。このようにすると、取手２の横振れを防止できる。図５（ｂ）に示したものは、被螺子止め部５を縦框の内周面２６から離して配置し、先端部を凸部２７のドア内周側の面で受けている。図５（ｃ）に示したものは、縦框１ａの室内側の見付片１８の内面側に凸部２７を二つ並べて形成してあり、凸部２７と凸部２７の間に被螺子止め部５の先端を差し込んで保持してある。このように、被螺子止め部５を縦框の内周面２６から離して固定することもできるが、当接させた方が縦框１ａの見付寸法ｗをより小さくできる。
【００１２】
本発明は、冷蔵ショーケースのドアに限らず、縦框を有するあらゆるドアに広く適用できる。取手の形状や材質、被螺子止め部の形成方法は、特に限定されない。
【図面の簡単な説明】
【００１３】
【図１】本発明のドアの一実施形態を示す横断面図である。
【図２】本発明のドアの要部を示す分解斜視図である。
【図３】取手の縦框への当接部の構成例を示す縦断面図である。
【図４】本発明のドアの使用状態の一例を示す冷蔵ショーケースの正面図である。
【図５（ａ）（ｂ）（ｃ）】取手の縦框への取付構造の他の例を示す横断面図である。
【符号の説明】
【００１４】
１ａ，１ｂ  縦框
２  取手
３  見付面
４  当接部
５  被螺子止め部
６  孔
７  見込み面
８  螺子
９  ドア
ｗ  見付寸法
【図１】
2005307558.tif 000003
【図２】
2005307558.tif 000004
【図３】
2005307558.tif 000005
【図４】
2005307558.tif 000006
【図５（ａ）（ｂ）（ｃ）】
2005307558.tif 000007